(57)【要約】【課題】大型ディスプレイ装置に表示している画像を同時性を維持し、適正なサイズと頁分割でカラープリンタに印刷する。【解決手段】マルチスクリーンコントローラに、大型マルチディスプレイ装置の画像情報を記億している画像データと、大型マルチディスプレイ装置の構成情報と、前記画像データと構成情報より適正なサイズに画像データを切り出す編集処理と、適正なサイズと印刷紙枚数で前記カラープリンタヘ印刷する頁分割印刷処理を有する。【効果】大型マルチディスプレイ装置の表示内容を適正なサイズと印刷用紙枚数で印刷することができる。大型マルチディスプレイ装置の表示内容の同時性を確保し、印刷することができる。印刷要求はマルチスクリーンコントローラに対し、スイッチの挙動操作で可能となる。【選択図】  図１
2005056013.tif 000002
【特許請求の範囲】
【請求項１】
画像を表示する画像信号を生成する画像信号生成手段と、前記画像を複数の画面に分割して表示するように前記分割画面に相当するそれぞれの画像情報を生成する分割画像信号生成手段と、前記画像信号を切り出して記憶する記憶手段と、前記記憶手段の記憶内容を印刷装置に出力する出力手段を有することを特徴とするマルチディスプレイ用印刷制御装置。
【請求項２】
請求項１において、前記切り出しは、マルチディスプレイの構成を示す情報に基づいて行われることを特徴とするマルチディスプレイ用印刷制御装置。
【請求項３】
請求項１において、前記印刷装置には、分割画像毎に画像信号が出力されることを特徴とするマルチディスプレイ用印刷制御装置。
【請求項４】
請求項１乃至３において、前記画像はカラー画像であり、前記印刷装置にはカラー画像信号が出力されることを特徴とするマルチディスプレイ用印刷制御装置。
【請求項５】
請求項４において、前記画面に表示されるのはプラント監視対象物であることを特徴とするマルチディスプレイ用印刷制御装置。
【請求項６】
画像を表示する画像信号を生成し、前記画像を複数の画面に分割して表示するように前記分割画面に相当するそれぞれの画像情報を生成し、前記画像信号を同時に切り出して記憶し、前記記憶内容を印刷装置に出力するマルチディスプレイ用印刷制御方法。
【発明の詳細な説明】
【０００１】
【発明の属する技術分野】
本発明は、マルチディスプレイ用印刷制御装置及びマルチディスプレイ用印刷制御方法に関し、特に、複数の操作員による情報共有や、マルチメディア情報の提供，画面監視操作卓との相互コミュニケーションに好適なものに関する。
【０００２】
【従来の技術】
例えばプラント監視対象となる機器の状態をディスプレイに表示する等の場合、小さな画面では目視しずらく、大きな画面が要求されることが多くある。プラント監視の例では、例えば、特開平８−１１０８１１号公報に記載されている。
【０００３】
しかしながら、ディスプレイを１つで表示しようとすると必然的に表示の大きさに制約がある。そのため、複数のディスプレイに分割して表示することが考えられた。また、ディスプレイ表示相当の画像を印刷しようとすると、１枚の用紙に印刷することになるが、表示情報は複数のディスプレイに及んでいるために、例えばプラントの監視操作の運用では、ディスプレイあたりの印刷部分が小さくなり、充分な印刷結果を得ることができない。
【０００４】
【特許文献１】
特開平８−１１０８１１号公報
【０００５】
【発明が解決しようとする課題】
複数画面を効率良く表示するためにマルチスクリーンコントローラを使うことができる。マルチスクリーンコントローラは、複数面の画像データを有し、例えばＲＧＢ画像等の画像信号をｎ系統出カすることができる。しかしながら、印刷結果における画像の同時性を保持することができない。
【０００６】
また、ｎ個に印刷要求指令を出す必要があり、ｎ回のスイッチ操作が必要であった。
【０００７】
また、ｎ面の画像信号（ｎ面分）１画面相当に圧縮してしまうと、非常に小さく印刷され、マルチスクリーンコントローラで表示している重要な監視データ
（数値やプラントの動作状態）を識別できない（または識別しにくいものとなってしまう）。
【０００８】
本発明は、上記の従来技術における問題点に鑑み、ディスプレイ装置に表示している画像を適正な大きさで印刷可能なマルチディスプレイ用印刷制御装置及びマルチディスプレイ用印刷制御方法を提供することにある。
【０００９】
【課題を解決するための手段】
上記目的を達成するために、本発明では、画像を表示する画像信号を生成し、画像を複数の画面に分割して表示するように分割画面に相当する画像情報をそれぞれ生成し、画像信号を切り出して記憶し、記憶内容を印刷装置に出力するように構成した。
【００１０】
或いは、マルチディスプレイ装置を有するものであって、マルチディスプレイ装置へ画像信号を複数（ｎ系統）出力し、画像情報を記憶しているマルチスクリーンコントローラと、カラープリンタを有し、さらに、マルチスクリーンコントローラに、マルチディスプレイ装置の画像情報を記億している画像データと、大型マルチディスプレイ装置の構成情報と、画像データと構成情報より適正なサイズに画像データを切り出す編集処理と、適正なサイズと印刷紙枚数でカラープリンタヘ印刷する頁分割印刷処理を有するように構成した。
【００１１】
【発明の実施の形態】
以下、本発明の実施例の詳細について、プラント監視を例として、添付の図面を参照しながら説明する。
【００１２】
一般にプラント監視制御システムでは、監視対象が多岐にわたるために大型画面を用いる（以下、表示される対象物としては、画面とディスプレイは同義）。
すなわち、この大型画面には、複数の操作員が共有すべき情報、あるいは、マルチメディア情報が表示される。すなわち、操作者は大型画面に表示されたプラントの運転情報（各弁の開閉システム，バルブの圧力等）を目視し、例えば、異常があった場合に操作対象を操作する。
【００１３】
まず、本発明によるマルチスクリーンコントローラ（分割画像信号生成手段）１１０は、図１に示されるように、ＣＰＵ（中央演算装置）１０１，主メモリ（記憶手段）１０２，ハードデイスク１０３，プリンタボード１０４を搭載しており、監視制御向け計算機を構成している。さらに、ハードウェアとしてマルチグラフィックボード１０５を搭載する。マルチグラフィックボード１０５は、ＲＧＢ画像信号をｎ系統出力することができる。これにより、ＣＰＵ１０１が１つであっても、大型マルチスクリーン１０６（あるいは、大型マルチディスプレイ装置とも称し、大型ディスプレイ装置１１１，１１２，１１３の集合体を言う。）ヘの画像信号出力が１つの計算機からできるようになる。
【００１４】
さらに、大型マルチディスプレイ装置１０６に加え、カラープリンタ１０７を備え、マルチスクリーンコントローラ１１０と接続することにより、大型ディスプレイコミュニケーションシステムを構成する。
【００１５】
このように、ＣＰＵ（この場合、ＣＰＵ１０１は、画像信号生成手段の機能を有する。）１０１が画面情報を出力すると、マルチグラフィックボード１０５は例えば３つのＲＧＢ画像信号に分けてそれぞれの大型ディスプレイ装置１１１，１１２，１１３に対象する画像信号を出力する。そのため、監視者は、３つの大型ディスプレイ装置１１１，１１２，１１３の画面が組み合わさったものが視覚上あたかも１つの画面を見ているかのようになる。
【００１６】
以下、大型マルチディスプレイ装置１０６が横３面で構成されている場合を説明する。
【００１７】
図２では、マルチスクリーンコントローラ１１０の動作フローであり実装するソフトウェアによって起動される。
【００１８】
印刷要求受付（ステップ２０１）では、該当ソフトウェアに起動受付処理を組み込み、マルチスクリーンコントローラ１１０からみて外部ハードスイッチ（図示せず）、または内部ソフトスイッチ（図示せず）により該当ソフトウェアを起動する。前記内部ソフトスイッチとは、マルチスクリーンコントローラ１１０で表示している画面内にソフト的なボタン等を配置することで、ハードスイッチと同等の機能を有するものである。
【００１９】
次に、画像データ読込み（ステップ２０２）では、瞬時にマルチグラフィックボード１０５が表示している内容を画像データメモリ１０９（図１に記載のものを再度図２にも記載）より読込み、該当ソフトウェアの管理する主メモリ１０２のメモリ空間にロードする。
【００２０】
次に、切出し編集（ステップ２０３）では、大型マルチディスプレイ装置１０６の構成情報（大型マルチディスプレイ構成情報）２０６を取得し、切出し編集の仕様をまず解決する。前記大型マルチディスプレイ装置１０６の構成惰報は、大型マルチディスプレイ装置１０６の構成をＭ行Ｎ列で、また単面あたりの画像サイズを縦横のドット値で与えられる。なお、マルチスクリーンコントローラ１１０の単面あたりの画像解像度は、近年の高解像度化により世界標準規格のＳＸＧＡ（１２８０×１０２４ドット）が主流である。本実施例の横３面構成の場合は、１行３列となる。
【００２１】
３列という構成情報により、前記メモリ空間（画像データメモリ）１０９にロードした画像データを１２８０×１０２４ドットを１枚とする画像データを３枚切り出す。例えば、構成情報が２行４列の８面マルチディスプレイであれば、前記メモリ空間（画像データメモリ）１０９にロードした画像データを８枚切り出す。
【００２２】
ここで、複数面の画像データを有しているマルチスクリーンコントローラ１１０は、ＲＧＢ画像信号をｎ系統出力することができ、その出力信号をキャプチャするキャプチャ装置をｎ個設置して、これらが画像信号をアナログ／デジタル変換した後、ｎ個のキャプチャ装置とカラープリンタをネットワークでバス接続しておくことでカラープリンタへ印刷することができる。この場合に、印刷結果における画像の同時性を保持するようにメモリに画像情報を記憶しておく。
【００２３】
なお、大型マルチディスプレイ装置の構成情報は、マルチスクリーンコントローラの基本オペレーティングシステム（ＯＳ）から取得する方法と、該当ソフトウェアが管理するハードディスク上の事前に生成したファイルより取得する方法がある。
【００２４】
頁分割印刷（ステップ２０６）では、Ｍ行Ｎ列の構成情報で切り出した１枚単位の画像データを（Ｍ×Ｎ）枚の用紙になるよう順次カラープリンタヘ印刷要求する（あるいは、単に印刷装置。もちろん、カラープリンタはモノクロプリンタでも良い。）。この時のぺージング処理は、行列（ｍ，ｎ）＝（１，１）（ｍは１〜Ｍの変数、ｎは１〜Ｎの変数）の画像データを先頭に、続いてｎに加えて（１，２）の画像データを、以後（１，Ｎ）の画像データまで順次印刷する。同様に、２行目（２，１）〜（２，Ｎ），最終行（Ｍ，１）〜（Ｍ，Ｎ）まで順次印刷する。
【００２５】
図３では、３面の画像データを切出し編集し、頁分割印刷した際の説明図を示した。
【００２６】
３面画像データ３０１は、切出し編集（ステップ２０３）によって、３つの画面、すなわち、左面画像３０２，中央面画像３０３，右面画像３０４に分割される。さらに、頁分割印刷（ステップ２０４）によって、左面画像ハードコピー３０５，中央面画像ハードコピー３０６，右面画像ハードコピー３０７の順にハードコピーが行われる。
【００２７】
このように、本実施例では、大型マルチディスプレイ装置１０６の表示内容の同時性を確保し、印刷することができる。また、印刷要求はマルチスクリーンコントローラ１１０に対し、スイッチの挙動操作で可能となる。
【００２８】
【発明の効果】
以上説明したように、本発明によれば、大型マルチディスプレイ装置の表示内容を同時性を確保し適正な大きさで印刷することができる。
【図面の簡単な説明】
【図１】大型ディスプレイコミュニケーションシステムのシステム構成例図である。
【図２】マルチスクリーンコントローラに実装するソフトウェアの処理フロー図である。
【図３】切出し編集，分割印刷を説明する図である。
【符号の説明】
１０５…マルチグラフィックボード、１０６…大型マルチディスプレイ装置、１０７…カラープリンタ、１０９…画像データメモリ、１１０…マルチスクリーンコントローラ。
【図１】
2005056013.tif 000003
【図２】
2005056013.tif 000004
【図３】
2005056013.tif 000005